(57)【特許請求の範囲】
【請求項１】
１本の噴射通路から分岐する２つの噴射通路が穿設された押しボタンと、前記押しボタンを全体的に覆うようにスプレー缶に取外し可能に取り付けられたキャップとを備え、前記２つの噴射通路の一方を直接エアゾールを空間内に噴射するように成すと同時に、他方の噴射通路を、担体を介して間接的かつ徐々に空間内にガス体として蒸散させるように成したエアゾール噴射装置において、
前記噴射通路の一方が、押しボタンの外周面において噴射ノズルを介して開口しており、
前記噴射通路の他方が、押しボタンの上面に穿設された担体を収容する凹所に開口しており、
更に、前記キャップが、前記噴射ノズルを直接空間に露出するための出口穴と、前記凹所内に収容された担体から蒸散するガス体を通過させるための透過孔と、外部より押しボタンを操作するための切欠き穴とを備えていることを特徴とするエアゾール噴射装置。
【請求項２】
前記担体が、予め、噴射されるエアゾールと同一若しくは異なった成分を含んでいることを特徴とする請求項１に記載のエアゾール噴射装置。
【請求項３】
前記担体が、液体含浸性を有する材料から成ることを特徴とする請求項１に記載のエアゾール噴射装置。
【発明の詳細な説明】
【０００１】
【発明の属する技術分野】
本発明は、１本の噴射通路から分岐する２つの噴射通路が穿設された押しボタンと、前記押しボタンを全体的に覆うようにスプレー缶に取外し可能に取り付けられたキャップとを備え、前記２つの噴射通路の一方を直接内容物を空間内に噴射するように成すと同時に、他方の噴射通路を、担体を介して間接的にかつ徐々に空間内にガス体として蒸散させるように成したエアゾール噴射装置に関するものである。
【０００２】
【従来の技術】
スプレー缶内の加圧液体を半径方向に向けて押しボタンに穿設した１つのノズルから空間へ直接噴霧するエアゾール噴射装置は広く知られかつ使用されているところであるが、特に、殺虫用燻じょう剤等は、その効果を所定時間持続させるために、一時に大量のエアゾールを空間に噴射するのではなくて、徐々に一定量の薬剤を空間に散布するために、スプレー缶内に別途、噴射量制御バルブを設けると共に多孔質体を微量化手段として噴口の手前に設けている。
【０００３】
しかしながら、この種のエアゾール噴射装置は比較的短い時間内に比較的多量の薬剤を散布するものであって、例えば、芳香剤の如くかなりの長時間に亘って効果を持続させたい場合はさらに微量の液体を蒸散する必要が生じる。かかる目的のために、特開平１１―３２１９５１号公報に開示された如き、直接噴射手段の外に吸着蒸散体を介した間接的な散布手段を併用する試みがなされてきた。
【０００４】
【発明が解決しようとする課題】
このような従来技術に見られる２系統の噴射手段を備えたエアゾール噴射装置は、一方の直接噴射機構を押しボタンに設け、他方の間接噴射機構を吸着蒸散体を配設したキャップに設ける構成を備えているために、間接噴射機構の薬液通路が２つの部材間に跨ることとなるので、通路構成を複雑化してしまい、キャップの着脱による接続不良を生じ、ガス漏れ等の問題が生じる惧れがある。また同時に、長時間有効に作用するだけの多量の蒸散体（担体）を収納するためには、キャップ上面に大きなスペースの凹所を形成せねばならず、仮に、キャップ上面にこのような広い凹所を穿設するとスプレー容器の高さが高くなる等、種々の不都合が生じる。そこで本発明は、従来のこのような問題を解決するために、多量の蒸散体を収納可能な広いスペースを確保すると同時に、１つの部材に分岐した２系統の噴射通路を一体的に設けて接続部分を省略したガス漏れの無いかつ長時間安定した空間内へのガス体の蒸散を可能とするエアゾール噴射装置を提供することを目的としている。
【０００５】
【課題を解決するための手段】
上記した目的は、本発明によれば、前記噴射通路の一方が、押しボタンの外周面において噴射ノズルを介して開口しており、前記噴射通路の他方が、押しボタンの上面に穿設された担体を収容する凹所に開口しており、更に、前記キャップが、前記ノズルを直接空間に露出するための出口穴と、前記凹所内に収容された担体から蒸散するガス体を通過させるための透過孔と、外部より押しボタンを操作するための切欠き穴とを備えていることにより達成される。
【０００６】
かかる構成により、多量の担体を収納可能な広い凹所が押しボタン上面に確保されることとなり、同時に、押しボタンと言う１つの部材内に分岐した２系統の噴射通路を穿設することとなるので、キャップと共に取外される接続部分は省略され、凹所内に供給されるエアゾールは途中で漏れること無く担体に到達し、この担体からの長時間に亘って安定した空間内でのガス体の蒸散が可能となる。その際、キャップはスプレー容器から外されることはないので、紛失する惧れもなくまた同時にコンパクトな全体寸法の容器が得られる。なお、好ましい適用可能な内容物の例を挙げると、液体の殺菌剤、除菌剤、消臭剤、芳香剤等である。
【０００７】
本発明の好ましい１つの実施の形態によれば、前記担体が、予め、噴射されるエアゾールと同一若しくは異なった成分を含んでいる。エアゾールと同一の成分を担体に含ませた前者の場合、押しボタンの押圧操作により直接噴射と同時にエアゾールの蒸散を開始させたりまたその効果を持続させたりすることとなる。他方、後者の異種成分の場合は、直接空間内に噴射される内容物の成分とこの蒸散成分とが同一空間内で混合されて相乗効果を発揮させること等が可能となる。例えば、薬剤を直接噴射で散布すると同時に香料を蒸散させて、薬剤独自の不快臭を中和或いは芳香に転化し、或いは、揮発性の高い香料を直接噴射で散布すると同時に揮発性の低い別の香料を担体に含ませて蒸散させ、２種類の芳香をブレンドする如き用途が考えられる。
【０００８】
本発明のもう１つの好ましい実施の形態によれば、前記担体が、液体含浸性を有する材料から成ることを特徴としている。かかる構成によって、長時間に亘る良好な蒸散性が確保される。そして、液体含浸性を有する担体として好ましい材料の例を挙げると、活性炭、骨炭、シリカゲル（合成ゼオライト）、セルロース、加工澱粉、焼結ポリエチン、活性アルミナ、活性ボーキサイト、活性フーラスアース、ポリメタクリレート、キトサンビーズ、多孔質ガラス、多孔質チタン、メラミン樹脂、ＰＶＡ系多孔質体等のビーズ、ペレット、粒状体であり、また、人工皮革、コルク、石綿、不織布、ウレタンフォーム、珪藻土等の加工成形体である。
【０００９】
以下、本発明によるエアゾール噴射装置を添付図面に示された１つの実施の形態に沿って以下詳細に説明する。
【００１０】
【実施例】
図１は、本発明によるエアゾール噴射装置の縦断面図、図２は、図１に示されたエアゾール噴射装置の押しボタンの平面図、図３は、図１に示されたエアゾール噴射装置の平面図である。
【００１１】
図１〜３を参照して本発明によるエアゾール噴射装置の代表的な実施の形態を以下に説明する。
【００１２】
本発明によるエアゾール噴射装置１０は、図１及び図２に示されているように、内部に噴射される加圧された液体の内容物が充填されたスプレー容器１１と、このスプレー容器の上部目金板１５から伸びるチュ−ブ状のバルブステム１２と、バルブステムの先端に嵌め込まれた樹脂製ブロックで形成された押しボタン１３と、この押しボタン１３を上から覆うようにスプレー容器１１に着脱可能に被嵌されたキャップ１４とから構成されている。
【００１３】
押しボタン１３は、内部にバルブステム１２からその直上に向けて伸びてその上面に画成された矩形の凹所１６の底面に開口する噴射通路１７が穿設されている。この凹所１６の内部にはエアゾールを噴出させるための多数の通気孔１９を穿設されたプレート２４が、中敷き板として底面から僅かな間隔を置いて平行に嵌め込まれており、その上には、使用時において吸着蒸散体として機能する担体２３が収容されており、これら僅かな平行平面間隔及び通気孔１９は凹所内に収容された担体２３に内容物を蒸散液体として含浸させるための通路２５を形成している。
【００１４】
この実施の形態において、担体２３は、液体含浸性を有する無数のビーズからなる。しかし、上記したように、担体として機能する材料は他にも数多くの種類があり、とりわけこのビーズに対峙するものとして不布織布等の打抜き加工成形体が挙げられる。また、その材質も液体含浸性を有するものであれば基本的には全て適用可能であり、特に、上記したようなものに限定されるものではない。
【００１５】
また、押しボタン１３は、噴射通路１７の途中から半径方向に分岐して伸びるもう１本の噴射通路１８をその内部に穿設されており、その端部は盲栓２２により閉塞されているが、その手前で斜め上方に向かって穿設された傾斜通路１９に更に分岐されている。そして、この傾斜通路１９の先端部には拡大径の噴口２０が形成されており、その中心部分にノズル金具２１が挿入されている。従って、バルブステム１２から噴出された内容物は、噴射通路１７及び１８そして傾斜通路１９を通って、ノズル金具２１のジェット孔から斜め上方に向かって空間内に直接噴射されることとなる。
【００１６】
更に、矩形の凹所１６は、内部に多量の担体を収納可能にすべく、出来得る限り広くかつ深い凹陥部を押しボタン１３の上面において確保することが肝要であり、そのために概ね直径方向に沿って形成されており、その一方の側部は噴口２０が穿設された舌片状の傾斜面２６となっており、他方の側部は概ねなだらかに傾斜した舌片状の押圧部２７が形成されている。
【００１７】
使用者が、人差し指でこの押圧部２７を下方に押すと、押しボタン１３は全体的に降下するのであるが、その場合の方向性を確保するために、傾斜面２６の下方位置において１対のガイドピン２８が左右に伸びている。そして、キャップ１４の天蓋板４０から一体的に垂下する１対の案内片２９が、ガイドピン２８を挿通して押しボタン１３の降下軌道に沿った運動を円滑に案内するための下向きに開放したスリット３０を備えている。
【００１８】
図３を参照すると、キャップ１４は、ノズル噴口２０を直接空間に露出するための舌片状の傾斜面２６に対応した形状に切り欠かれた出口穴４１と、凹所１６内に収納された吸着蒸散体である担体２３から蒸散するガス体を通過させるために、この凹所１６の矩形形状に相当する区域内で互いに平行に穿設された多数のスリットで形成された透過孔４２と、外部より押しボタン１３の舌片状の押圧部２７を押圧するための切欠き穴４３とを備えている。
【００１９】
このようにキャップ１４は、多数の平行配置されたスリットで形成される透過孔４２を介して矩形の広い凹所１６内に収容された多量のビーズ状の担体２３に吸着されたエアゾールの成分を蒸散ガス体として空間内に長時間に亘り安定的に散布し、同時に、直接空間に露出されたノズル噴口２０内に位置するノズル金具２１のジェット孔からも同時にエアゾールが同じ空間内に出口穴４１を介して噴射されることとなる。かかる２箇所の噴射操作は、切欠き穴４３内に露出した押圧片２７の操作者による下方への押圧により開始される。
【００２０】
【発明の効果】
本発明によるエアゾール噴射装置は、前記噴射通路の一方が、押しボタンの外周面において噴射ノズルを介して開口しており、前記噴射通路の他方が、押しボタンの上面に穿設された担体を収容する凹所に開口しており、更に、前記キャップが、前記噴射ノズルを直接空間に露出するための出口穴と、前記凹所内に収容された担体から蒸散するガス体を通過させるための透過孔と、外部より押しボタンを操作するための切欠き穴とを備えた構成を有しているので、多量の担体を収納可能な広い凹所が押しボタン上面に確保されることとなり、同時に、押しボタンと言う１つの部材内に分岐した２系統の噴射通路を穿設することとなるので、キャップと共に取外される接続部分は省略され、凹所内の担体に供給されるエアゾールは途中で漏れることが無くなり、担体は、長時間に亘りかつ安定して空間内へガス体を蒸散させることが出来ると言った効果が得られる。
【図面の簡単な説明】
【図１】本発明によるエアゾール噴射装置の縦断面図。
【図２】図１に示された押しボタンの平面図。
【図３】図１に示されたエアゾール噴射装置の平面図。
【符号の説明】
１０  エアゾール噴射装置
１１  スプレー容器
１２  バルブステム
１３  押しボタン
１４  キャップ
１５  上部目金板
１６  凹所
１７  噴射通路
１８  噴射通路
１９  傾斜通路
２０  噴口
２１  ノズル金具
２２  盲栓
２３  担体（吸着蒸散体）
２４  プレート
２５  通気孔
２６  傾斜面
２７  押圧部
２８  ガイドピン
２９  案内片
３０  スリット
４１  出口穴
４２  透過孔
４３  切欠き穴
【図１】
0004566420.tif 000002
【図２】
0004566420.tif 000003
【図３】
0004566420.tif 000004